(57)【特許請求の範囲】
【請求項１】
写真フイルムが予め装填され、撮影レンズ、シャッタ機構、及び絞り開口を形成した絞り板を有するレンズ付きフイルムユニットに組み込まれ、２つのコイルのいずれかに通電することで発生する電磁力によって可動部材を第１又は第２の位置に選択的に移動させ、これに連動して絞り板を小絞り位置と大絞り位置との間で移動させる絞り駆動装置において、
前記可動部材の移動経路に入り込み、前記第１又は第２の位置に前記可動部材を係止するロック位置と、このロック位置から退避して前記可動部材の係止を解除するロック解除位置との間で移動可能に設けられ、前記第１又は第２のコイルへの通電時に発生する電磁力によって前記ロック位置から前記ロック解除位置に移動し、前記可動部材が前記第１の位置及び第２の位置の間を移動した後、前記コイルへの通電が断たれたときに前記ロック位置に移動するロック部材を備えたことを特徴とする絞り駆動装置。
【請求項２】
写真フイルムが予め装填され、撮影レンズ、シャッタ機構、及び絞り開口を形成した絞り板を有するレンズ付きフイルムユニットに組み込まれ、１つのコイルに通電する電流の向きを変化させて可動部材を吸引又は反発させることにより第１又は第２の位置に選択的に移動させ、これに連動して絞り板を小絞り位置と大絞り位置との間で移動させる絞り駆動装置において、
前記可動部材の移動経路に入り込み、前記第１又は第２の位置に前記可動部材を係止するロック位置と、このロック位置から退避して前記可動部材の係止を解除するロック解除位置との間で移動可能に設けられ、前記コイルへの通電時に発生する電磁力によって前記ロック位置から前記ロック解除位置に移動し、前記可動部材が前記第１の位置及び第２の位置の間を移動した後、前記コイルへの通電が断たれたときに前記ロック位置に移動するロック部材を備えたことを特徴とする絞り駆動装置。
【請求項３】
前記ロック部材を前記ロック位置に向けて付勢するバネを設け、コイルへの通電により前記バネの付勢に抗してロック部材が前記ロック解除位置に移動し、前記コイルへの通電が断たれたときに前記バネの付勢によって前記ロック位置に復帰することを特徴とする請求項１又は２記載の絞り駆動装置。
【請求項４】
前記ロック部材の移動方向を可動部材の移動方向に対して略直交させたことを特徴とする請求項１ないし３いずれか１つ記載の絞り駆動装置。
【発明の詳細な説明】
【０００１】
【発明の属する技術分野】
本発明は、レンズ付きフイルムユニットや安価なカメラ等に組み込まれ、絞り開口を設けた絞り板を移動させる絞り駆動装置に関するものである。
【０００２】
【従来の技術】
予め写真フイルムが装填された１回使用型の簡易型カメラとして、レンズ付きフイルムユニットが知られている。このレンズ付きフイルムユニットは、１回使用型であることから、徹底した構造の簡単化、低コスト化が図られている。他方で、画質向上の要求から、被写体光量に応じて自動的に絞り切り換えを行い、これにより露光制御を行う自動露光制御装置を備えたものが検討されている。
【０００３】
この自動露光制御装置は、例えば、特開平９−５８１７号公報に示すように、絞り開口が設けられた絞り板と、この絞り板を移動させて、絞り開口の切り替えを行う絞り制御回路とからなる。この絞り制御回路は、コイルへの通電によって生じる電磁力で可動鉄心を移動させ、これに連動させて絞り板を小絞り位置と大絞り位置との間で移動させる絞り駆動装置と、シャッタ半押し操作によって前記絞り駆動装置への給電経路をオン／オフするメインスイッチと、被写体光量を検出しその光量信号を出力する測光部と、この光量信号を受けて、それが所定値に達した時に前記絞り駆動装置を作動させるスイッチングトランジスタとを備えている。これによれば、シャッタ半押し操作によって前記制御部が作動し、被写体光量に応じて自動的に露光制御が行われるので、誰でも簡単に適正な露出量で撮影することができる。
【０００４】
【発明が解決しようとする課題】
しかしながら、上述の自動露光制御装置では、絞り駆動装置が作動して絞り板を移動させた後、その絞り板を保持するためにコイルに通電し続けなくてはならない。このため、長時間通電されたコイルが焼き切れてしまうということが考えられる。また、瞬間的に絞り駆動装置を作動させて、切り替えた後はトグルバネの付勢によって切替後の位置に保持することも可能であるが、この場合、トグルバネの付勢が強過ぎると、その付勢に抗する力を発生させるためにコイルの大型化や、電源の出力を上げること等が必要となり、コスト上好ましくない。また、トグルバネの付勢が弱過ぎると、落下による衝撃等で簡単に絞り板が移動してしまう。
【０００５】
本発明は上記問題点を考慮してなされたもので、短時間の給電で絞り板を移動させ、給電を停止した後は、メカ機構で絞り板を保持することが可能な絞り駆動装置を提供することを目的とする。
【０００６】
【課題を解決するための手段】
上記記目的を達成するために、本発明の絞り駆動装置では、写真フイルムが予め装填され、撮影レンズ、シャッタ機構、及び絞り開口を形成した絞り板を有するレンズ付きフイルムユニットに組み込まれ、２つのコイルのいずれかに通電することで発生する電磁力によって可動部材を第１又は第２の位置に選択的に移動させ、これに連動して絞り板を小絞り位置と大絞り位置との間で移動させる絞り駆動装置において、前記可動部材の移動経路に入り込み、前記第１又は第２の位置に前記可動部材を係止するロック位置と、このロック位置から退避して前記可動部材の係止を解除するロック解除位置との間で移動可能に設けられ、前記第１又は第２のコイルへの通電時に発生する電磁力によって前記ロック位置から前記ロック解除位置に移動し、前記可動部材が前記第１の位置及び第２の位置の間を移動した後、前記コイルへの通電が断たれたときに前記ロック位置に移動するロック部材を備えている。
【０００７】
請求項２記載の絞り駆動装置では、写真フイルムが予め装填され、撮影レンズ、シャッタ機構、及び絞り開口を形成した絞り板を有するレンズ付きフイルムユニットに組み込まれ、１つのコイルに通電する電流の向きを変化させて可動部材を吸引又は反発させることにより第１又は第２の位置に選択的に移動させ、これに連動して絞り板を小絞り位置と大絞り位置との間で移動させる絞り駆動装置において、前記可動部材の移動経路に入り込み、前記第１又は第２の位置に前記可動部材を係止するロック位置と、このロック位置から退避して前記可動部材の係止を解除するロック解除位置との間で移動可能に設けられ、前記コイルへの通電時に発生する電磁力によって前記ロック位置から前記ロック解除位置に移動し、前記可動部材が前記第１の位置及び第２の位置の間を移動した後、前記コイルへの通電が断たれたときに前記ロック位置に移動するロック部材を備えたことを特徴とする。また、前記ロック部材をロック位置に向けて付勢するバネを設け、コイルへの通電により前記バネの付勢に抗してロック部材がロック解除位置に移動し、前記コイルへの通電が断たれたときに前記バネの付勢によって前記ロック位置に復帰することが好ましい。なお、前記ロック部材の移動方向を可動部材の移動方向に対して略直交させていると更によい。
【０００８】
【発明の実施の形態】
本発明の絞り駆動装置が内蔵されたレンズ付きフイルムユニット１１の外観及び内部構造の概略を示す図２及び図３において、レンズ付きフイルムユニット１１は、中央に露光部１２が設けられ、その横にストロボ装置１３が組み付けられた本体基部１４と、その前後に被せられる前カバー１６及び後カバー１７とから構成されるユニット本体と、カートリッジ１８及びカートリッジ１８から引き出してロール形態にした写真フイルム１９とからなる。カートリッジ１８及び写真フイルム１９は、本体基部１４に形成されたカートリッジ収納室１４ａ，フイルム収納室１４ｂにそれぞれレンズ付きフイルムユニットの製造時点で予め組み込まれる。
【０００９】
前カバー１６には、その前面に、撮影レンズ２０を露呈する撮影窓２１，ファインダ対物窓２２，ストロボ発光窓２３、及び測光窓２６が形成されており、その上面にはシャッタボタン２８，フイルムカウンタ窓２９が形成されている。測光窓２６からは、ＣｄＳ３０が露呈している。ＣｄＳ３０は、自動露光制御装置の測光手段であり、周知のように、受光する輝度に応じてその抵抗値が変化する光導電素子である。この抵抗値の変化を検出することにより自動的に絞りが切り換えられて露光制御が行われる。自動露光制御装置は回路基板３７（図１参照）に形成されている絞り制御回路、及び絞り板４７から構成される。
【００１０】
撮影レンズ８の横には電源スイッチ２７が取り付けられる。電源スイッチ２７は、ストロボの充電、及び絞り制御回路の作動を開始させるためのもので、電源スイッチ２７は、前カバー１６に設けられたスリット部４０から摘み部２７ａが露呈するように取り付けられ、撮影者は、この摘み部２７ａを上下方向にスライド移動させることにより操作する。図１に示すように摘み部２７ａの横には、突起状の押圧部２７ｂが形成されている。この押圧部２７ｂは絞り板４７の一端に形成される被押圧部４７ｃの上方に位置している。電源スイッチ２７を下方にスライドさせ、ストロボの充電、及び絞り制御回路をオフにしたとき、押圧部２７ｂが被押圧部４７ｃを押すことにより、軸５７を中心にして絞り板４７を図中時計方向に回動させ、後述する第１の位置（図８参照）に移動させる。
【００１１】
後カバー１７にはファインダ接眼窓３１、上面に、ライトガイド２５を露呈する充電完了確認窓３２が形成され、さらにカートリッジ収納室１４ａ，フイルム収納室１４ｂの底部開口を光密に覆う底蓋１７ａ，１７ｂが一体に形成されている。底蓋１７ａは、撮影済みの写真フイルムが巻き込まれたカートリッジ１８を取り出すときに開放される。
【００１２】
カートリッジ収納室１４ａの上部には、巻上げノブ３３が設けられ、その下面に一体に形成された巻上げ軸がカートリッジ１８のスプールに係合する。撮影ごとに巻上げノブ３３を回動操作することによって、撮影済みの写真フイルムは１コマ分ずつカートリッジ１８に巻き込まれる。このフイルム１コマ巻上げに連動して露光部１２に組み込まれたシャッタ機構が次回の撮影のためにチャージされ、またフイルム１コマ給送が完了すると露光部１２に組み込まれたロックレバーによって巻上げノブ３３の回動がロックされる。
【００１３】
ストロボ装置１３は、メインコンデンサ３４，シンクロスイッチ３６，昇圧コイル、Ｃｄｓ３０、及び絞り駆動装置３５などの回路部品を取り付けた回路基板３７と、ストロボ放電管やリフレクタ等を含む発光部３８と、電源電池３９とからなる。回路基板３７には、回路パターンがプリントされるとともに、各種回路部品が取り付けられて、ストロボ回路及び絞り制御回路が形成されている。回路基板３７の前面には、スイッチ接片４１と、その前方に電源スイッチ２７を支持する支持板４２が取り付けられる。スイッチ接片４１は、電源スイッチ２７のスライドによりオン／オフが行われる。
【００１４】
露光部１２は、前方に向かって角筒状に突出した暗箱基部４６をベースにして、これにシャッタ機構，フイルム巻止め機構の他、ファインダ機構やフイルムカウンタ板等を組み付けたものである。さらに、この露光部１２は、ファインダ光学系を構成する対物及び接眼レンズを保持する。暗箱基部４６の背面には、露光枠が形成されており、撮影位置に送られてきた写真フイルム１９の前面で１コマ分の露光範囲を制限する。
【００１５】
図１に示すように、暗箱基部４６の前面には、シャッタ開口４６ａが形成されており、その前方に、絞り板４７と、シャッタ羽根４８と、これらを覆うシャッタカバー４９とが取り付けられる。暗箱基部４６の右隣には、絞り駆動装置３５が配置される。シャッタカバー４９には、撮影レンズ２０が組み込まれている。
【００１６】
シャッタ羽根４８は、周知の蹴飛ばし式のもので、羽根部４８ａとその上方に延びた取付部４８ｂとからなる。取付部４８ｂが暗箱基部４６の前面に形成されたピン５３と係合し、このピン５３を中心軸として、シャッタ開口４６ａを閉じる閉じ位置と該開口４６ａを開放する開き位置との間で、回動自在に取り付けられる。取付部４８ｂと暗箱基部４６との間には、コイルバネ５４がかけられており、シャッタ羽根４８は、このコイルバネ５４によって閉じ位置方向に付勢される。シャッタボタン２８が押下されると、シャッタ機構が作動し、蹴飛ばしレバー５６が取付部４８ｂの頭部を蹴飛ばす。これにより、羽根部４８ａが回動し、シャッタ開口４６ａが開閉される。シャッタスピードは設計時に設定された所定値に固定される。
【００１７】
また、取付部４８ｂには、押圧部４８ｃが設けられている。この押圧部４８ｃは、シャッタ開閉に連動してストロボ発光させるためのもので、シャッタボタン２８が押下されてシャッタ羽根４８が全開位置にきた時に、シンクロスイッチ３６を押圧して、これをオンする。
【００１８】
絞り板４７には、大絞り開口４７ａ及び小絞り開口４７ｂが形成されている。絞り板４７は、その開口４７ｄが、暗箱基部４６に設けられた軸５７に取り付けられ、この軸５７を中心軸として、撮影光路上に小絞り開口４７ｂが挿入される第１の位置（図８参照）と、撮影光路上に大絞り開口４７ａが挿入される第２の位置（図９参照）との間で回動自在とされる。小絞り開口４７ｂは通常時の絞り径であり、大絞り開口４７ａはそれよりも大径に設定されている。この絞り板４７は絞り駆動装置３５によって駆動される。
【００１９】
本発明の絞り駆動装置３５は、第１、第２コイル５１、５２と、それらのコイル５１、５２内に挿入され、直進自在に保持されている可動鉄心５８と、コイル５１、５２への通電により磁気的吸引力を発生する継鉄（ヨーク）磁気枠６０と、ロック部材６１と、板バネ６２とから構成されている。第１、第２コイル５１、５２は、継鉄磁気枠６０に固定され、第１コイル５１が下方に、第２コイル５２が上方に配置されている。絞り駆動装置３５は、絞り制御回路から第１、第２コイル５１、５２への通電を受けて駆動される。
【００２０】
可動鉄心５８は、それが上下方向に移動するように、その長手方向がほぼ垂直になるように配置される。第２コイル５２に通電されると、可動鉄心５８がそれに引きつけられて上方に移動し、第１コイル５１に通電されると、可動鉄心５８がそれに引きつけられて下方に移動する。
【００２１】
この可動鉄心５８の一部は、継鉄磁気枠６０の外部に露呈されており、この露呈部分に、ピン５８ａが形成されている。このピン５８ａと絞り板４７に設けられた開口４７ｅとが係合する。この係合により、可動鉄心５８が、第１コイル５１、及び第２コイル５２の間をスライド移動すると、絞り板４７が第１の位置と第２の位置との間で回動する。
【００２２】
ロック部材６１は、金属板を折り曲げ形成したものであり、平面部６１ａと、その平面部６１ａから突出する腕部６１ｂとから構成される。平面部６１ａの一端は板バネ６２を介して継鉄磁気枠６０に取り付けられている。この板バネ６２は、ロック部材６１を、可動鉄心５８の移動経路に入り込むように付勢している。板バネ６２は非磁性材料であるリン青銅板を折り曲げ形成したものである。このため、板バネ６２は、コイル５１、５２及び継鉄磁気枠６０による磁気的吸引力の影響を受けることはない。板バネ６２の、ロック部材６１及び継鉄磁気枠６０への取り付けは、スポット溶接により行われている。
【００２３】
腕部６１ｂは中間部から、鍵形に折れ曲がり、さらにその先でも鍵形に折れ曲がって、先端部６１ｃが平面部６１ａの方に向かって突出している。絞り制御回路の電源がオフになっているとき、可動鉄心５８は、図４（Ａ）で示す第１コイル５１側の位置に係止されている。板バネ６２の付勢により先端部６１ｃがピン５８ａの移動経路に入り込んでいるため、可動鉄心５８はスライド移動がロックされた状態となっている。このとき、ピン５８ａに係合している絞り板４７は図８で示す第１の位置となっている。
【００２４】
絞り制御回路の電源がオンになり、被写体輝度が低輝度の場合、第２コイル５２に短時間の通電が行われ、磁気的吸引により、平面部６１ａが板バネ６２の付勢に抗して継鉄磁気枠６０に吸着する（図４（Ｂ））。このとき、平面部６１ａと一体になって移動した先端部６１ｃはピン５８ａの移動経路から退避する。これにより、可動鉄心５８はスライド移動が自由になり、第２コイル５２側に移動する。
【００２５】
可動鉄心５８の移動の後、すぐに、第２コイル５２への通電が停止して、継鉄磁気枠６０に吸着していたロック部材６１は、板バネ６２の付勢によりもとの位置に戻る。可動鉄心５８は図４（Ｃ）に示す第２コイル５２側の位置に係止されている。板バネ６２の付勢により、先端部６１ｃがピン５８ａの移動経路に入り込んでいるため可動鉄心５８はスライド移動がロックされた状態となっている。このとき、ピン５８ａに係合している絞り板４７は図９で示す第２の位置となっている。
【００２６】
また、可動鉄心５８が第２コイル５２側へ移動し（図４（Ｃ））、その後、被写体輝度が変化して高輝度になった場合、第１コイル５１に短時間の通電が行われ、磁気的吸引により、平面部６１ａが板バネ６２の付勢に抗して継鉄磁気枠６０に吸着する（図４（Ｂ））。このとき、平面部６１ａと一体になって移動した先端部６１ｃはピン５８ａの移動経路から退避する。これにより、可動鉄心５８はスライド移動が自由になり、第１コイル５１側に移動する。可動鉄心５８の移動の後、すぐに、第１コイル５１への通電が停止して、継鉄磁気枠６０に吸着していたロック部材６１は、板バネ６２の付勢によりもとの位置に戻る。先端部６１ｃはピン５８ａの移動経路に入り込み、図４（Ａ）の状態に戻る。
【００２７】
このようにして、短時間のコイルへの通電で絞り板４７を移動させ、コイルへの通電が断たれたとき、絞り板４７を保持するメカ機構を簡単な構造で実現している。
【００２８】
なお、ロック部材６１は、継鉄磁気枠６０の周りであれば、どの部分に設けてもよい。また、腕部６１ｂ、及び可動鉄心５８の形状は図示したものに限らず、例えば腕部６１ｂの先端部をキー形状とし、そのキーに合わせた複数のキー溝を可動鉄心に設けたものでもよい。このような形状とした場合、第１及び第２コイル５１、５２のどちらにも通電されていないときには、前記キーが前記キー溝に係合して可動鉄心５８の移動を係止する。また、第１及び第２コイル５１、５２のどちらかに通電されているときには、前記キーを前記キー溝から退避させ、可動鉄心５８の移動を自由にすることができる。
【００２９】
ストロボ回路の例を示す図６において、ストロボ回路は、電源スイッチ２７がオンすると（図５参照）、発振トランジスタ６６が導通して昇圧コイル６７が作動する。昇圧コイル６７から得られる二次電流によってメインコンデンサ３４とトリガコンデンサ６８に充電が行われ、メインコンデンサ３４が規定の充電レベルに達するとネオン管６９が点灯する。この光がライトガイド２５を通って撮影者に確認される。シャッタ羽根４８の開放によりシンクロスイッチ３６がオンすると、トリガコンデンサ６８の放電によりトリガコイル７１の一次側に電流が流れ、その二次側に接続されたトリガ電極７２に高電圧が発生する。これによりメインコンデンサ３４に蓄えられていた電荷がストロボ放電管７３を通して放電され、ストロボ発光する。
【００３０】
他方、絞り制御回路の例を示す図５及びその回路のタイミングチャートを示す図７において、絞り制御回路は、ＣｄＳ３０，コンパレータ７６，インバータ７７，ＡＮＤゲート７８，ＮＯＲゲート７９，第１及び第２コイル５１、５２を備えている。この絞り制御回路の電源電池３９及び電源スイッチ２７は、ストロボ回路と共通である。第１コイル５１は、可動鉄心５８を下方に吸引して、絞り板４７を第１の位置に回動する。第２コイル５２は、可動鉄心５８を上方に吸引して、絞り板４７を第２の位置に回動する。
【００３１】
コンパレータ７６は、基準電圧Ｖref と、ＣｄＳ３０と抵抗８４とで分圧された入力電圧Ｖinとを比較して、ハイ（Ｈ）レベル又はロー（Ｌ）レベルの信号を出力するためのものである。被写体輝度が高輝度の時、ＣｄＳ３０の抵抗値は低いので、入力電圧Ｖinが低い。他方、被写体輝度が低輝度の時、ＣｄＳ３０の抵抗値は高く、入力電圧Ｖinは高い。
【００３２】
コンパレータ７６は、入力電圧Ｖinが基準電圧Ｖref よりも低い時（被写体輝度が高輝度の時）には、Ｈ信号を出力しつづける。被写体輝度が減少して、入力電圧Ｖinが徐々に増加して基準電圧Ｖref に近づき、基準電圧Ｖref を上回ったときに、出力信号がＨ信号からＬ信号に変化する。その後、入力電圧Ｖinが基準電圧Ｖref を上回っている間、Ｌ信号を出力しつづける。そして、被写体輝度が増加して、入力電圧Ｖinが基準電圧Ｖref を下回ると、Ｈ信号に変化する。
【００３３】
コンパレータ７６から出力された信号は、ＡＮＤゲート７８，ＮＯＲゲート７９の各々の一方の入力端子７８ａ，７９ａにそれぞれ入力される。また、この出力信号は、インバータ７７にも入力される。このインバータ７７によって反転されて出力された信号が、コンデンサ８６によって遅延されて、ＡＮＤゲート７８，ＮＯＲゲート７８の各々の他方の入力端子７８ｂ，７９ｂに入力される。
【００３４】
まず、入力電圧Ｖinが基準電圧Ｖref よりも低い時（被写体輝度が高輝度の時）、コンパレータ７７からＨ信号が出力される。この時、入力端子７８ａ，７９ａにはＨ信号が、入力端子７８ｂ，７９ｂにはインバータ７７を経由してＬ信号が入力される。このため、ＡＮＤゲート７８，ＮＯＲゲート７９ともに、Ｌ信号を出力するので、トランジスタ８７，８８は作動せず、したがって、第１及び第２コイル５１、５２に通電しない。
【００３５】
また、この反対に、入力電圧Ｖinが基準電圧Ｖref よりも高い時（被写体輝度が低輝度の時）、コンパレータ７７からＬ信号が出力される。この時、入力端子７８ａ，７９ａにはＬ信号が、入力端子７８ｂ，７９ｂにはインバータ７７を経由してＨ信号が入力される。このため、ＡＮＤゲート７８，ＮＯＲゲート７９ともに、Ｌ信号を出力するので、第１、第２コイル５１、５２に通電しない。このように、入力電圧Ｖinが基準電圧Ｖref の上下で、ある程度定常状態にある時には、第１及び第２コイル５１、５２に通電しない。
【００３６】
これに対して、入力電圧Ｖinが変化して基準電圧Ｖref を横切る時には、ＡＮＤゲート７８からトランジスタ８７を作動させる通電パルス、又は、ＮＯＲゲート７９からトランジスタ８８を作動させる通電パルスが選択的に発生して、第１又は第２コイル５１、５２に通電させる。
【００３７】
まず、入力電圧Ｖinが増加して基準電圧Ｖref を上回ると（被写体輝度が減少）、コンパレータ７７からの出力信号がＨ信号からＬ信号に変化する。このＬ信号が入力端子７８ａ，７９ａに入力される。この時、ＮＯＲゲート７９は、その入力端子７９ａ，７９ｂに、ともにＬ信号が入力されるので、Ｈ信号を出力する。このＮＯＲゲート７９のＨ信号の出力は、その入力端子７９ｂにインバータ７７からＨ信号が入力されるまでの間、すなわち、コンデンサ８６によって入力が遅延される間、つづく。これが通電パルスとなり、一定時間、第２コイル５２に通電し、絞り板４７を第２の位置に回動する。
【００３８】
次に、入力電圧Ｖinが減少して基準電圧Ｖref を下回ると（被写体輝度が増加）、コンパレータ７７からの出力信号がＬ信号からＨ信号に変化する。このＨ信号が入力端子７８ａ，７９ａに入力される。この時、ＡＮＤゲート７８は、その入力端子７９ａ，７９ｂに、ともにＨ信号が入力されるので、Ｈ信号を出力する。このＡＮＤゲート７８のＨ信号の出力は、その入力端子７８ｂにインバータ７７からＬ信号が入力されるまでの間、すなわち、コンデンサ８６によって入力が遅延される間、つづく。これが通電パルスとなり、一定時間、第１コイル５１に通電し、絞り板４７を第１の位置に回動する。
【００３９】
このように、予め設定された基準電圧Ｖref を入力電圧Ｖinが上回る時と、下回る時に絞り板４７の切り換えが行われる。基準電圧Ｖref は、抵抗９１と抵抗９２との分圧値となる。しかし、その値は、入力電圧Ｖinが増加していく時と、それが減少していく時とでは、微妙に変化する。
【００４０】
これは、いわゆるヒステリシスと呼ばれる現象で、入力電圧Ｖinが増加する時の基準電圧Ｖref と、入力電圧Ｖinが減少する時の基準電圧Ｖref との間に差が生じる。この差の大きさがヒステリシスの幅となり、これは抵抗９１と抵抗９２との大きさで決まる。ヒステリシスの幅が小さいと、ノイズによる影響を受けやすくなる。すなわち、入力電圧Ｖinが基準電圧Ｖref 付近にある時に、ノイズの影響を受けて駆動パルスの発生が繰り返されるという誤作動が生じやすくなる。また、このヒステリシス幅が大きいと、ノイズによる誤作動が生じにくくなる一方、入力電圧Ｖinが増加する時の基準電圧Ｖref と、それが減少する時の基準電圧Ｖref との差が大きくなってしまう。ヒステリシス幅は、これらを勘案して適宜選択される。
【００４１】
また、コンデンサ８９は、電源スイッチ２７をオンした時に、入力電圧Ｖinがコンパレータ７６に入力するのを遅らせて、コンパレータ７６の出力を初期化するためのものである。電源スイッチ２７をオンした時、絞り板４７は、常に第１の位置に設定されている。このため、コンパレータ７６の出力も、絞り板４７が第１の位置にある時に出力されるべきＨ信号に設定する必要がある。入力電圧Ｖinの入力を遅らせることで、被写体輝度の状態に関わらず、電源スイッチ２７をオンした直後は、基準電圧Ｖref が入力電圧Ｖinを常に上回ることになる。したがって、電源スイッチ２７をオンした直後はコンパレータ出力がＨ信号に設定される。
【００４２】
以下、上記構成の作用について説明する。電源スイッチ２７がオフ側に位置しているとき、絞り制御回路はオフになっており、絞り板４７は第１の位置に係止されている（図８（Ａ）参照）。電源スイッチ２７をオンすると、ストロボ充電が開始され、絞り制御回路も作動を開始する。同時に、電源スイッチ２７の押圧部２７ｂが、絞り板４７の被押圧部４７ｃの移動経路上から退避して、絞り板４７が回動可能な状態になる。
【００４３】
電源スイッチ２７をオンした直後、入力電圧Ｖinのコンパレータ７６への入力がコンデンサ８９によって遅延されるから、その間、被写体輝度に関わらず、コンパレータ７６はＨ信号を出力する。被写体輝度が低輝度の場合には、入力電圧Ｖinが増加して基準電圧Ｖref を上回るから、コンパレータ出力がＬ信号に変化する。これにより、第２コイル５２に通電させる通電パルスが発生し、絞り板４７が第２の位置に回動する。この絞り板４７の回動の後、第２コイル５２への通電が停止すると、板バネ６２の付勢によりロック部材６１が可動鉄心５８の移動経路に入り込む。このため、通電パルスによる第２コイル５２への通電が終了しても、絞り板４７はロック部材６１により第２の位置に保持される（図９（Ａ）参照）。
【００４４】
他方、被写体輝度が高輝度の場合には、入力電圧Ｖinが基準電圧Ｖref を上回らないから、通電パルスは発生せず、絞り板４７は回動しない。この時、第１コイル５１への通電は断たれているが、ロック部材６１によって絞り板４７は第１の位置に係止された状態を保つ（図８（Ａ）参照）。
【００４５】
巻き上げノブ３３を回動すると、フイルムが１コマ巻き上げられるとともに、シャッタチャージが行われる。フレーミングの後、シャッタボタン２８を押下すると、シャッタ羽根４８が開閉して撮影が行われる。シャッタ羽根４８が全開位置にきた時に、シンクロスイッチ３６がオンしてストロボ発光する。被写体輝度が低い場合には、大絞り開口４７ａがセットされているから、撮影光は、撮影レンズ２０，大絞り開口４７ａを通って写真フイルム１９に露光する（図８（Ｂ）参照）。他方、被写体輝度が高い場合には、小絞り開口４７ｂを通って写真フイルム１９に露光する（図９（Ｂ）参照）。被写体輝度に応じた絞りがセットされているので、適正な露光量で撮影が行われる。
【００４６】
また、被写体輝度が高輝度の状態から減少して、入力電圧Ｖinが基準電圧Ｖref を上回ると、第２コイル５２に通電させる通電パルスが発生し、絞り板４７が第２の位置に回動し、大絞り開口４７ａがセットされる。他方、被写体輝度が増加して、入力電圧Ｖinが基準電圧Ｖref を下回ると、第１コイル５１に通電させる通電パルスが発生し、絞り板４７が第１の位置に回動し、小絞り開口４７ｂがセットされる。このように、日中にストロボ撮影を行う場合など被写体輝度が高い場合には、小絞り開口４７ｂに設定され、他方、夜間や室内など被写体輝度が低い場合には、大絞り開口４７ａに設定されるというように、被写体輝度に応じて絞り板が自動的に切り換えられるので、適正な露光量での撮影が可能となる。
【００４７】
また、絞り切り換えは、絞り制御回路が作動している間、輝度の変化に応じて即座に行われるので、撮影時にシャッタボタン２８を半押し操作して絞り切り換えを行う等特別な操作が不要となる。このため、絞り制御回路を作動させている間は、常に輝度に応じた絞りが設定されているので、適正な露光での撮影が即座に可能となり、シャッタチャンスを逃してしまうようなことはない。
【００４８】
また、通電パルスを発生させて絞り板４７を駆動するので、電源電池３９の消耗が抑えられる。そして、絞り板４７をロック部材６１によって各位置に係止するので、それを係止するために電源電池３９を消耗する必要がない。
【００４９】
撮影が終了し、電源スイッチ２７をオフにする。このオフ時に、絞り板４７が第２の位置にセットされている場合には、押圧部２７ｂが絞り板４７の被押圧部４７ｃと当接し、被押圧部４７ｃを下方に押し下げて絞り板４７を第１の位置にセットする。ストロボを使用しないで撮影する場合、一般に、被写体輝度は高いと考えられるので、小絞り開口４７ｂをセットすることにより、適正な露光量で撮影が行われる。
【００５０】
上記例では、１つの可動鉄心と２つのコイルとで、絞り駆動装置を構成し、一方のコイルを選択的に通電させることにより可動鉄心を上下方向に移動して、絞り板を切り替える例で説明したが、図１０及び図１１に示すように、１つの可動鉄心と１つのコイルとで、絞り駆動装置を構成し、コイルに流す電流の向きを変化させることにより可動鉄心を上下方向に移動して、絞り板を切り替えるようにしてもよい。
【００５１】
図１０に示す絞り駆動装置９６は、１つのコイル９７と、そのコイル９７内に挿入され、直進自在に保持されている可動鉄心９８と、コイル９７への通電により磁気的吸引力を発生する継鉄磁気枠６０と、ロック部材６１と板バネ６２とから構成されている。可動鉄心９８には、ピン９８ａが形成されており、このピン９８ａと開口４７ｅとが係合することにより、可動鉄心９８の上下動に連動して絞り板４７が回動する。この可動鉄心９８には永久磁石が使用されており、その極性とコイルに流れる電流の向きによってできる極性とにより、吸引、反発させて可動鉄心９８を上下動させる。
【００５２】
この例の絞り制御回路には、図１１に示すようにＡＮＤゲート７８の出力側にトランジスタ１０１，１０２が、ＮＯＲゲート７９の出力側にトランジスタ１０３，１０４がそれぞれ接続される。これらのトランジスタ１０１〜１０４はコイル９７に接続される。
【００５３】
絞り制御回路の電源がオフになっているとき、可動鉄心９８は、コイル９７の下方に係止されている。板バネ６２の付勢により先端部６１ｃがピン９８ａの移動経路に入り込んでいるため、可動鉄心９８はスライド移動がロックされた状態となっている。このとき、ピン９８ａに係合している絞り板４７は第１の位置となっている。
【００５４】
被写体輝度が増加して、入力電圧Ｖinが基準電圧Ｖref を下回ると、ＡＮＤゲート７８から通電パルスが出力され、トランジスタ１０１，１０２が作動する。これにより、コイル９７にＡ方向の電流が流れる。コイル９７への通電により、先端部６１ｃがピン９８ａの移動経路から退避するとともに、Ａ方向に通電されているコイル９７は可動鉄心９８を吸引する力を発生し、この吸引力により可動鉄心９８が上方に移動して絞り板４７が第２の位置に回動する。可動鉄心９８の移動の後、すぐに、コイル９７への通電が停止して、継鉄磁気枠６０に吸着していたロック部材６１は、板バネ６２の付勢によりもとの位置に戻る。先端部６１ｃがピン９８ａの移動経路に入り込んで、可動鉄心９８はスライド移動がロックされた状態となる。
【００５５】
他方、被写体輝度が減少して、入力電圧Ｖinが基準電圧Ｖref を上回ると、ＮＯＲゲート７９から通電パルスが出力され、トランジスタ１０３，１０４が作動する。これにより、コイル９７にＢ方向の電流が流れる。コイル９７への通電により、先端部６１ｃがピン９８ａの移動経路から退避するとともに、Ｂ方向に通電されているコイル９７は可動鉄心９８を反発する力を発生し、この反発力により可動鉄心９８が下方に移動して絞り板４７が第１の位置に回動する。可動鉄心９８の移動の後、すぐに、コイル９７への通電が停止して、継鉄磁気枠６０に吸着していたロック部材６１は、板バネ６２の付勢によりもとの位置に戻る。先端部６１ｃがピン９８ａの移動経路に入り込んで、可動鉄心９８はスライド移動がロックされた状態となる。
【００５６】
なお、上記例では、いずれも、ストロボ内蔵型のレンズ付きフイルムユニットに実施した例で説明しているが、ストロボ非内蔵型のものでもよいし、また、レンズ付きフイルムユニットでなくてもよく、コンパクトカメラに実施してもよい。
【００５７】
【発明の効果】
以上に説明したように、本発明の絞り駆動装置は、コイルへの通電により可動部材の移動経路から退避して可動部材の第１又は第２の位置への移動を許容するロック解除位置に移動し、前記コイルへの通電を断つことにより可動部材の移動経路内に入り込んで可動部材を第１又は第２の位置に係止するロック位置に移動するロック部材を備えたことにより、コイルに通電されているときには、絞り板を第１又は第２の位置に回動させ、コイルへの通電が断たれているときには、絞り板を係止する。この絞り駆動装置を安価なカメラやレンズ付きフイルムユニットに用いることにより、簡単な構造で、確実に絞り径の制御を行う自動露光制御装置を組み込むことができる。特に、コイルへの短い通電時間で絞り板を駆動できることから、容量が小さい電池を内蔵するレンズ付きフイルムユニット等には好適である。
【図面の簡単な説明】
【図１】本発明の絞り駆動装置が組み込まれた露光部の分解斜視図である。
【図２】レンズ付きフイルムユニットの全体斜視図である。
【図３】レンズ付きフイルムユニットの分解斜視図である。
【図４】本発明の絞り駆動装置を作動させたときの状態を示す説明図である。
【図５】絞り制御回路を示す回路図である。
【図６】ストロボ回路を示す回路図である。
【図７】通電パルスの発生タイミングを示すタイミングチャートである。
【図８】被写体輝度が高い場合における、絞り駆動装置及び絞り板の動作を示す説明図である。
【図９】被写体輝度が低い場合における、絞り駆動装置及び絞り板の動作を示す説明図である。
【図１０】１個のコイルで駆動する絞り駆動装置が組み込まれた露光部の分解斜視図である。
【図１１】図１０の例の絞り制御回路を示す回路図である。
【符号の説明】
２６  測光窓
２７  電源スイッチ
３０  Ｃｄｓ
３５、９６  絞り駆動装置
３９  電源電池
４７  絞り板
５１  第１コイル
５２  第２コイル
５８、９８  可動鉄心
５８ａ、９８ａ  ピン
６０  継鉄磁気枠
６１  接片
６２  板バネ
７６  コンパレータ
７７  インバータ
７８  ＡＮＤゲート
７９  ＮＯＲゲート
８１，８２，９８  ソレノイド
９７  コイル
【図１】
0003973186.tif 000002
【図２】
0003973186.tif 000003
【図３】
0003973186.tif 000004
【図４】
0003973186.tif 000005
【図５】
0003973186.tif 000006
【図６】
0003973186.tif 000007
【図７】
0003973186.tif 000008
【図８】
0003973186.tif 000009
【図９】
0003973186.tif 000010
【図１０】
0003973186.tif 000011
【図１１】
0003973186.tif 000012